(57)【要約】【課題】  誘拐、いじめ、通り魔などの事件について、犯行時刻、場所、犯行実行前後の状況および犯人の顔を、目撃証言に頼らず具体的に認識できるようにできないものか。【解決手段】  この警報器により、事件現場で警報を鳴らし、更に遠隔地の肉親の受信機を起動して現場の映像を放映しつつ交話をして事件防止に活用する。もし事件が防止できなくても、時刻、場所、事件発生前の一定時間の周囲状況の映像と音声を受信機に自動録画できるようにし、条件によって一定間隔の被害者の航跡がたどれるようにすることにより事件の早期解決に活用する。【選択図】図１
2005173783.tif 000002
【特許請求の範囲】
【請求項１】
誘拐あるいは通り魔などの事件発生時、あるいはそれ等の事件発生の危機を感じた時、被害者の携帯する送信機から信号を発することにより、遠隔受信機に事件発生前の一定の時間の周囲状況映像と音声を、時刻と位置情報を付加して、自動的に遠隔受信機に録画する。条件によりその時点以後の位置情報を時刻と共に送信機が破壊されない限り遠隔受信機に送信し続ける送信機。
【発明の詳細な説明】
【技術分野】
【０００１】
本発明は、被害者のスイッチ操作などにより、事件発生に至るまでの一定時間の過去の周囲状況の映像と音声を、時刻、位置を付加して遠隔地の受信機に送信して自動録画させることのできる警報機に関するものである。
この機能に付加して遠隔地の受信機を警報音と共に映像表示させて交話ができるようにし、受信機から応答がなければ時刻と位置情報を定期的に受信機に送信し航跡を追跡できるようにし、事件発生現場では一定時間大きな警報音を発生させる警報機とする。
【背景技術】
【０００２】
誘拐事件は物的証拠に乏しく、目撃証言などに頼り、被害にあったときの時刻、場所、現場状況およびその後の拉致の航跡把握が難しい。
【０００３】
この課題を解くべく、携帯電話およびＧＰＳ（グローバルポジショニングシステム）等の電子技術を利用して防犯および事件の早期解決を可能にしたい。
【発明の開示】
【発明が解決しようとする課題】
【０００４】
未然に犯行を防ぐために被害者から近隣通行者や肉親などに緊急通報できないか。
【０００５】
被害者が事件に遭遇したときに自動的に事件に遭遇したことを通報できないか。
【０００６】
犯行を防ぐことができなかっても時刻、場所、周囲状況、犯人との会話の有無、犯人の人相および犯人の訛りはどのようであったか、第３者が認識できるような記録方法は無いか。
【課題を解決するための手段】
【０００７】
被害者が危険を感じて警報機のボタンを押すなどの事件発生信号を引き金として、遠隔地に住む肉親等のもつ受信機が警報を発して被害者の持つ警報機のカメラ画像が突如として表示され、被害者と肉親が被害者のカメラの映像を見ながら会話ができるようにする。
【０００８】
遠隔受信機の応答がない時は、危機状況にあることを通行人に知らせるべく大きな音で警報機から警報を発し、その後警報が鳴り止んでも警報器が破壊されない限り位置情報と時刻を遠隔受信機に発信し続け航跡を追跡できるようにする。
【０００９】
被害者が警報器のボタンを押すなどの事件発生信号に基づき、時刻、位置情報を付加して、事件発生に至る過去の一定時間の映像と音声を遠隔受信機に送信し、自動的に遠隔受信機に録画されるようにする。
事件発生までの一定時間の画像と音声は、カメラおよびマイクで得られる映像および音声を警報機に内臓されたメモリーに一定時間分の映像を蓄積し、それ以前の古い映像は捨て去るようにすることにより、常に事件発生前の一定時間前の画像データと音声データを保有することになる。したがって、スイッチ操作などに基づきこの映像を送信する。
【００１０】
事件発生信号を、被害者によって信号を発生するという手段として、有線または無線でのスイッチ操作、大声をあげた時、あるいは、『助けて』などの決まった言葉を発した時などが考えられる。
【００１１】
事件発生信号を、肉親あるいは学校など被害者を監視する者からの遠隔制御によっても警報器の映像を時刻と位置情報を添えて監視したりする。
【００１２】
事件発生信号は、警報器が事件と判断した時自動的に発生するようにする必要もあり、例えば、加害者にネクタイピン型カメラが引きちぎられるなどで映像が得られなくなった時、加害者が電源を切ってしまった時、車などに無理やり乗せられ急に画像が暗くなってしまった時あるいは明るくなってしまった時で映像があまり変化しなくなった時、誘拐で急激な加速度が警報器に印加された時、誘拐されそうになった児童がマイクの付近に付けていた市販の警報ベルが鳴った時などが考えられるが、製品化の段階で一部の方法はまだ機器メーカーの研究を待ちたい。
【００１３】
最も困難なのは加速度変化により警報器が自動的に事件発生信号を出す機能で、誘拐により強引に抱き上げられ、声を出すまもなく車に乗せられるような場合の加速度変化の検出に、慣性航法装置の技術が適用できるか、ジャイロ信号、振り子、リングレーザーの応用などは利用できるか今後の機器メーカーの技術を待つ必要がある。
転んだ時と車に乗せられる時の加速度方向は回転が伴うなど異なるパターンと思われ、このパターンの違いはベルの音の鳴り方でも違うのではないかと思われその音を検出する方法もあるようである。
【発明の効果】
【００１４】
本警報機により、防犯および事件発生後の解明に大きな効果が得られる。
【発明を実施するための最良の形態】
【００１５】
児童誘拐事件のようにカメラが揺れる状況においては、事件解明のために受信機側でもよいが静止画像が得られるように処理することが望ましい。カメラ、マイクおよびスイッチは警報器と一体にしては実用性が乏しくなるので、カメラおよびマイクは胸、帽子、耳などに取り付けられるよう、スイッチはひそかにポケットから制御できるよう無線または有線で外付けにもできるようにすることが望ましい。
【００１６】
後にも述べるが、専用ベストとして、型受信機として警報器の計算機部、制御部、メモリー基板もＧＰＳアンテナもベストに組み込み、胸の部分にカメラとマイクを取り付け、右ポケット内にスイッチを吊り下げ、左ポケット内にディスプレー（およびマイク）を吊り下げ、必要に応じてベストの外に出せるよう、児童が容易に着用できるよう軽量なものが製作できないかと考える。
【産業上の利用可能性】
【００１７】
通学途中の児童を誘拐、通り魔から保護する為の父兄の利用。ボケ老人の徘徊先の探索のための各個人または老人ホームの利用。留守宅を訪ねる不審者にこっそり近接センサーで受信機をポップアップ（警報と共に表示を起動させ）させ、遠隔地からでも要件を問い質すなどにより空巣、ピッキング犯の予防を図るために各個人が利用。児童間のいじめ事件を監視するために父兄および学校が利用。レジに現れる強盗を防止するためコンビニエンス・ストアーのレジ係に利用。窓口に現れる無権利預金引き出し者の事件の防止のために銀行、郵便局などの金融機関が利用。囚人達に携帯を義務付けさせて行動の監視に利用などがある。
【００１８】
誘拐とか通り魔などの防犯を目的として警察など公共機関の後押しにより各電子機器メーカーが携帯電話の機能を追加改善してこの警報機の機能を利用するなどにより、強力に防犯に取り組めばいっそうこの警報機の市場性が高まる。そして防犯効果が得られる。
【００１９】
希望的であるが、この警報器の機能を生かして、人間のパターンを認識してその人物が接近してきた時は顔に向けて自動焦点、自動ズーミングを行い人物の画像を得られるようにしたり、マルチチャンネルにして前後の映像が得られるようにしたり、受信機の制御基板もＧＰＳアンテナもベストに組み込み右ポケット内にスイッチを吊り下げ、左ポケット内にディスプレー（およびマイク）を吊り下げた「警報器ベスト」を製作したり、警報機に特別な周波数を割り当てて通りがかりの自動車のカーナビに特別なシンボルで位置情報を与えられるようにしたり、被害者を監視するため遠隔受信機から保護者がカメラの方向とズーミングを操作して周囲状況を監視したり、定期的に警報機の位置情報を得るようにしておいて信号が得られなくなった時（予備電池で）その直前の画像を自動的に学校または警察等の大型受信装置に録画されるなどの実現化を望む。
【００２０】
可愛い孫や子供が大切な時期に誘拐されて、事件の早期解決が得られない状況はなんとも惨たらしく、当事者の立場になくても悔しくて心が痛む。したがってこれは民間企業の利潤追求ベースに任せる問題ではなく、法務省なども真剣に参画すべき課題ではないか。
【００２１】
極論すれば民間会社の利潤ベースに任せていては現状の目撃証言に頼って事件捜査している昔ながらの現状を打破できない。警察の人員を増員することしか考えつかない国会議員に任せていれば国費の無駄ばかりというべく効果的な投資効果が得られない。したがって、この警報器のアイデアを足がかりにこの発明とは関係の無い全く新しい発想でもよいから、抽象的かつ定性的なものでなく、具体的かつ定量的な証拠が得られる飛躍したシステムを策定するよう国が民間企業を支援すべきである。
【図面の簡単な説明】
【００２２】
【図１】送信機が遠隔装置から起動される場合と、自動的に起動する場合と、スイッチ操作により起動される場合の３つの形態の起動信号が送信機に送られ、送信機はそれ以前（起動信号受信前）の画像を遠隔地にある受信機に時刻と位置情報とともに送信し、遠隔受信機を起動して交話可能にし、交話ができなければ警報器が大きな警報音を発して周囲の通行人を仰天させるという本警報器の機能説明図である。
【符号の説明】
【００２３】
１  本警報器の構成品
２  本警報器の制御部（破線部分は請求の範囲）
３  外付けカメラ
４  外付けマイク（埋め込みでも可）
５  外付けスイッチ
６  遠隔受信機
【図１】
2005173783.tif 000003